(57)【要約】【課題】店頭に飾った状態での見た目が劣ることなく高い商品価値を維持でき、また折重ね片部の端縁部と背負いベルトとの間の隙間に子供が指を入れるといったおそれも無くすことができるランドセルを提供する。【解決手段】背負いベルト６の上端部に設けた折重ね片部２５を背当て部１のベルト取付具５に取着される連結環２１に挿通すると共に折り返して背負いベルト６に重合し、その折返し部２５ａと隣接する折重ね片部２５の両側部に沿って該折重ね片部２５と背負いベルト６とを縫着して連結環２１に背負いベルト６の上端部が取り付けられるようにし、折重ね片部２５における折返し部２５ａと対向する端縁部２５ｂを縫着等の封止手段３０，３１により背負いベルト６に固着し、折重ね片部２５の端縁部２５ｂと背負いベルト６との間の隙間Ｓが開かないようにした構成からなる。【選択図】図８
2007319399.tif 000002
【特許請求の範囲】
【請求項１】
背負いベルトの上端部に設けた折重ね片部を背当て部のベルト取付具に取着される連結環に挿通すると共に折り返して前記背負いベルトに重合し、その折返し部と隣接する前記折重ね片部の両側部に沿って該折重ね片部と前記背負いベルトとを縫着することにより、前記連結環に前記背負いベルトの上端部が取り付けられるようにしたランドセルであって、
前記折重ね片部における前記折返し部と対向する端縁部を縫着等の封止手段により前記背負いベルトに固着し、前記折重ね片部の端縁部と前記背負いベルトとの間の隙間が開かないようにしたことを特徴とするランドセル。
【請求項２】
前記封止手段は、縫い糸が前記折重ね片部から前記背負いベルトへかかるようにして該折重ね片部の端縁部を該背負いベルトに縫着した構成からなる請求項１記載のランドセル。
【請求項３】
前記封止手段は、小片を前記折重ね片部から前記背負いベルトへかかるようにして重ねると共に該小片を該折重ね片部と該背負いベルトとにそれぞれ固着した構成からなる請求項１記載のランドセル。
【発明の詳細な説明】
【技術分野】
【０００１】
本発明は、小学生等の学童が教科書等の教材を入れ背中に背負うランドセルに関するものである。
【背景技術】
【０００２】
従来、ランドセルは本皮または合成皮革により成形され、上面開口が被せ蓋により開閉自在に被着できるようになっている。また、背当て部の上部中央にベルト取付具が装着され、該ベルト取付具に左右二本の背負いベルトの上端部が取着される。詳しくは、各背負いベルトの上端部に設けられた折重ね片部をベルト取付具に取着される各連結環に挿通すると共に折り返して前記背負いベルトに重合し、その折返し部と隣接する折重ね片部の両側部に沿って該折重ね片部と背負いベルトとを縫着することにより、各連結環に各背負いベルトが取り付けられるようにしている。この場合、各折重ね片部における折返し部と対向する端縁部は背負いベルトに縫着されてない（例えば、特許文献１参照。）。
【０００３】
一方、最近では、前記両背負いベルトの上端部である取付部が上向きに保持されるようにして、ランドセルをより身体にフィットさせ、疲労感を和らげることができるようにしたランドセルが主流をなしている（例えば、特許文献１参照。）
【特許文献１】特開２００４−２３７０７２号公報（第３−４頁、図１、図２）
【発明の開示】
【発明が解決しようとする課題】
【０００４】
ところで、ランドセルは、店頭に飾られるとき両背負いベルトを裏返し被せ蓋に沿わせるようにして止めている。しかしながら、前記両背負いベルトの取付部が上向きに保持される構成としていることから、両背負いベルトが勢い湾曲して反り、前記取付部に設けられた折重ね片部における折返し部と対向する端縁部と背負いベルトとの間の隙間が開くことがあった。このように、折重ね片部の端縁部と背負いベルトとの間の隙間が開いてしまうと、該ランドセルを店頭に飾った状態では見た目が悪く商品価値が下がるばかりか、子供がその隙間に指を入れて破くなどいたずらをするおそれがあるという課題がある。
【０００５】
そこで、本発明は前記課題を解決すべくなされたもので、折重ね片部の端縁部と背負いベルトとの間の隙間が大きく開かないようにして、ランドセルを店頭に飾った状態での見た目が劣ることなく高い商品価値を維持でき、また、子供が指を入れるといったおそれも無くすことができるランドセルを提供することを目的とするものである。
【課題を解決するための手段】
【０００６】
かかる目的を達成するため本発明のランドセルは、背負いベルトの上端部に設けた折重ね片部を背当て部のベルト取付具に取着される連結環に挿通すると共に折り返して前記背負いベルトに重合し、その折返し部と隣接する前記折重ね片部の両側部に沿って該折重ね片部と前記背負いベルトとを縫着することにより、前記連結環に前記背負いベルトの上端部が取り付けられるようにしたランドセルであって、前記折重ね片部における前記折返し部と対向する端縁部を縫着等の封止手段により前記背負いベルトに固着し、前記折重ね片部の端縁部と前記背負いベルトとの間の隙間が開かないようにした構成からなる。
【０００７】
この際、前記封止手段は、縫い糸が折重ね片部から背負いベルトへかかるようにして該折重ね片部の端縁部を背負いベルトに縫着した構成とするか、小片を折重ね片部から背負いベルトへかかるようにして重ねると共に該小片を折重ね片部と背負いベルトとにそれぞれ固着した構成とすることが好ましい。
【発明の効果】
【０００８】
本発明にあっては、折重ね片部における折返し部と対向する端縁部を縫着等の封止手段により背負いベルトに固着するようにしたので、折重ね片部の端縁部と背負いベルトとの間の隙間を開かないように閉じることができる。よって、ランドセルを店頭に飾った状態での見た目が劣ることなく高い商品価値を維持でき、また、子供が指を入れるといったおそれも無くすことができるという効果がある。
【０００９】
また、封止手段を、縫い糸が折重ね片部から背負いベルトへかかるようにして該折重ね片部の端縁部を背負いベルトに縫着した構成とするか、小片を折重ね片部から背負いベルトへかかるようにして重ねると共に該小片を折重ね片部と背負いベルトとにそれぞれ固着した構成とすれば、固着部例えば縫い糸が背負いベルトの長手方向とほぼ同じ方向を向くことになる。よって、背負いベルトをその長手方向に沿って強く撓ませ背負いベルトに強い曲げ力が働いても、その方向には伸縮性が残されることとなり、前記固着部で背負いベルトが折れ曲ってしまうといったおそれがほとんどなく、身体にフィットし疲労感を和らげるという本来の機能も遜色なく維持できるという効果がある。
【発明を実施するための最良の形態】
【００１０】
以下、本発明に係るランドセルを図面に基き詳しく説明する。図１は本発明に係るランドセルＲの斜視図、図２はベルト取付具部位の分解斜視図である。ランドセルＲは、本皮または合成皮革により成形され、学童が背負ったとき学童の背中に接する背当て部１と該背当て部１後側の上縁を残した周縁を囲う襠部２及び該襠部２の後側開放面を覆う前板部３とにより上面が開放した箱状に成形される。また、前記背当て部１の上端縁には前記開放上面及び前板部３の後面を覆う被せ蓋４が連設される。被せ蓋４の下線縁には鍵金具（図示せず。）が取着され、該鍵金具を襠部２の底面に装着された錠金具（図示せず。）に自在に係脱して施錠又は開錠できるようになっている。
【００１１】
前記背当て部１前面の中央上部にベルト取付具５が設けられ、該ベルト取付具５にランドセルＲを背負うときに腕を通して肩に掛ける一対の背負いベルト６，６が取着される。また、背当て部１は、背中に当った場合のクッション性と安定性を持たせるためにクッション材（図示せず。）が内装され、その前側に本皮製又は合成皮革製の表皮材７が貼着される。また、被せ蓋４も本皮又は合成皮革により成形され、前記背当て部１の上端部に一部重なるように重合し且つ縫着することにより一体に連接される。そして、その重合部に当生地８がその周縁を縫着して取着され、該当生地８には水平な切り込み９が設けられ、該切り込み９を介して前記ベルト取付具５がその内側に挿入される。そして、中央部と両側部にそれぞれビス１０を螺装してベルト取付具５が背当て部１に固着される。
【００１２】
次に、ベルト取付具５について説明する。ベルト取付具５は、合成樹脂材により横長扁平状に成形した取付具本体１１からなる。該取付具本体１１は、図３（イ）、図４に示すように上面が開口１２すると共に内部に空洞部１３が成形される。空洞部１３内には、その左右両側にそれぞれ合成樹脂材からなる一対のアーム部材１４，１４が左右対称となるように且つ上端側が前記開口１２から上方へ突出するようにして配置される。各アーム部材１４は、それら上端部にそれぞれ左右方向へ伸びる挿通孔１５が設けられる。各挿通孔１５は横断面が上下に長い楕円状に成形されている。
【００１３】
一方、各アーム部材１４の下端部に、前記取付具本体１１の後内面から突設した突起１６が挿入する軸孔１７が貫設される。これにより、図３（ロ）に示すように両アーム部材１４，１４が前記突起１６，１６を中心としてそれぞれ左右に揺動自在に軸着される。また、両アーム部材１４，１４の外側に弾性手段である捩りバネ１８がそれぞれ配置される。各捩りバネ１８は一端が取付具本体１１の後内面に設けられた支持孔１９に挿通され、他端がアーム部材１４の外側面に接触し、各捩りバネ１８により互いのアーム部材１４，１４が常に中央部側へ寄る、すなわち互いに間隔が狭まる、ように付勢される。前記空洞部１３の中央上部には、ランドセルＲを使用しないとき壁などに掛けるための吊下げ環２０が取着される。
【００１４】
前記各アーム部材１４上端部の挿通孔１５に、それぞれ背負いベルト６を挿通して取り付けるための連結環２１が取着される。各連結環２１は、所定の直径の線材を屈曲して上側部が外側へ向かって下傾する略四角形状に成形される。すなわち、平行な両側杆部２１ａ，２１ａの下端の内側に、それぞれ該各側杆部２１ａに対し直角をなし且つ一直線上に位置して対向する固着杆部２１ｂ，２１ｂが一体に設けられる。各固着杆部２１ｂ，２１ｂの先端部はプレス加工により扁平に成形される。また、両側杆部２１ａ，２１ａ間の上側部に背負いベルト６の上端部が取着される上杆部２１ｃが設けられる。各上杆部２１ｃには、その中央部に上方へ突出する保持板２２が一体に設けられる。各保持板２２にはその上端縁に凹欠部２３が凹設される。
【００１５】
そして、各固着杆部２１ｂを各アーム部材１４上端部の挿通孔１５に両端から挿通することにより、各アーム部材１４に各連結環２１が取着される。また、各アーム部材１４と連結環２１とをインサート成型により成形するようにしても良い。各連結環２１はそのままの起立状態で保持され、同様に各保持板２２もそのままの起立状態を保持している。このようにして各アーム部材１４に取着された各連結環２１に背負いベルト６が取着されることになる。
【００１６】
各背負いベルト６は、図５に示すように本革又は合成皮革からなる表地６ａと発泡樹脂層及び薄い皮革又は合成皮革からなる裏地６ｂとからなり、表地６ａと裏地６ｂとを貼り合わせ両縁を細い縫い糸２４によって縫着することにより成形される。また、各背負いベルト６の上端部に表地６ａからなる略方形状の折重ね片部２５が延設して設けられる。該折重ね片部２５のほぼ中央部に後記する鋲２８を挿通するための取付孔２６ａが開設され、背負いベルト６にも該取付孔２６ａに対応位置して取付孔２６ａが開設される。
【００１７】
そこで、背負いベルト６の上端部に設けた折重ね片部２５を連結環２１に挿通すると共に該折重ね片部２４を折り返して背負いベルト６に重合する。この際、折重ね片部２５と背負いベルト６とで保持板２２を挟むようにし、しかも保持板２２の凹欠部２３を取付孔２６ａ，２６ａに合致させる。また、背負いベルト６の表面であってその上端部側に、前記折重ね片部２５の表面から背負いベルト６の表面に掛けて本皮製又は合成皮革製の補助皮材２７を貼着する。この補助皮材２７にも前記各取付孔２６ａに対応位置して取付孔２６ｂが開設される。そして、これら取付孔２６ａ，２６ｂに鋲２８を挿通しカシメて固着する。
【００１８】
また、前記折重ね片部２５の折返し部２５ａと隣接する該折重ね片部２５の両側部に沿って補助皮材２７と共に該折重ね片部２５と背負いベルト６とを太い縫い糸２９により縫着する。更に、折重ね片部２５における折返し部２５ａと対向する端縁部２５ｂを封止手段としての太い縫い糸３０により背負いベルト６に縫着する。この際、前記太い縫い糸３０は、折重ね片部２５の中央一箇所に位置し該折重ね片部２５から背負いベルト６へかかるようにして該折重ね片部２５の端縁部２５ｂを背負いベルト６に縫着している。これにより、折重ね片部２５の端縁部２５ｂと背負いベルト６との間の隙間Ｓが開かないようになる。
【００１９】
このようにして図６（イ）（ロ）に示すように各背負いベルトが成形され、各連結環２１にその上端部が取り付けられる。なお、背負いベルト６，６の下端部にはその長手方向に沿って複数の位置調整孔（図示せず。）が列設され、それら下端部が襠部２の底面に設けられた副ベルトの掛止金具（図示せず。）に掛止されるようになっている。
【００２０】
本発明に係るランドセルＲは上記構成からなり、次に作用を説明する。学童がランドセルＲを背負った場合、各連結環２１は図７に示すように下端の固着杆部２１ｂを中心として前方へ回動することはなく、起立してほぼ上向きに保持される。すなわち、各アーム部材１４の上端部よりも各背負いベルト６が取着される各連結環２１の上杆部２１ｃの方が上方に位置する。
【００２１】
これにより、各背負いベルト６がその高さ分後側すなわちランドセルＲ側へ引かれる。換言すれば、ランドセルＲが学童の背中側へ引かれることになる。すなわち、ランドセルＲが背中から離れて後方へ傾き難くなり、ランドセルＲの重心が背中から離れて各背負いベルト６のずれと共にランドセルＲが次第に下がるといった事態が回避される。このような状態でランドセルＲを背負った場合、ランドセルＲが斜め上方に引っ張られた状態になり、ランドセルＲの重心が背中から離れることがない。これにより、背当て部１が背中に密着した状態に保たれ重く感ずることがなく疲れも少なくなり、良好な使用感が得られる。
【００２２】
一方、例えば本発明に係るランドセルＲを店頭に飾るときは、図８に示すように両背負いベルト６，６を裏返し、被せ蓋４に沿って掛け止める。この際、折重ね片部２５における折返し部２５ａと対向する端縁部２５ｂを太い縫い糸３０により背負いベルト６に縫着するようにしたので、折重ね片部２５の端縁部２５ｂと背負いベルト６との間の隙間Ｓを開かないように閉じることができる。よって、ランドセルＲの見た目が劣ることなく高い商品価値を維持でき、また、子供が指を入れるといったおそれも無くすことができる。
【００２３】
また、前記太い縫い糸３０が折重ね片部２５から背負いベルト６へかかるようにして該折重ね片部２５の端縁部２５ｂを背負いベルト６に縫着するようにしているので、縫着部すなわち太い縫い糸３０の向きがほぼ背負いベルト６の長手方向に向くことになる。よって、背負いベルト６をその長手方向に沿って強く撓ませて該背負いベルト６に強い曲げ力が働いても、その方向には伸縮性が残されることとなり、前記縫着部で背負いベルト６が折れ曲ってしまうといったおそれがほとんどなく、身体にフィットし疲労感を和らげるという本来の機能も遜色なく維持できる。
【００２４】
因みに、前記折重ね片部２５と背負いベルト６とを該背負いベルト６の長手方向と直交する方向に沿ってすなわち横断状に縫着した場合は、該固着部である縫い糸が背負いベルト６の長手方向に沿って伸びにくい。このため、前記のように背負いベルト６を強く撓ませたとき、その固着部から折れ曲ってしまう危険性が高い。
【００２５】
図９（イ）乃至（ニ）は、他の実施の形態に係る背負いベルトを示すものである。なお、これら他の実施の形態に係る背負いベルトは本発明に係る背負いベルトとほとんど同じ構成からなるので、同一部位は同一番号を附すことにより詳しい説明は省略する。
【００２６】
図９中（イ）の背負いベルト６１は、折重ね片部２５における端縁部２５ｂに沿った二箇所で、太い縫い糸３０が折重ね片部２５から背負いベルト６１へかかるようにして該折重ね片部２５の端縁部２５ｂを背負いベルト６１に縫着した構成からなる。前記二箇所の各太い縫い糸３０，３０はそれぞれ単独で縫われる。このようにしても本発明と同じ作用・効果が得られる。
【００２７】
図９中（ロ）の背負いベルト６２は、折重ね片部２５における端縁部２５ｂに沿って正面から見てＷ字状に四箇所太い縫い糸３０が設けられる。これら太い縫い糸３０は、折重ね片部２５から背負いベルト６２へかかるようにして該折重ね片部２５の端縁部２５ｂを背負いベルト６２に縫着した構成からなる。各四箇所の各太い縫い糸３０は、折重ね片部２５の両側部を縫着した太い縫い糸２９，２９と同じ縫い糸であって連続して縫着される。このようにしても本発明と同じ作用・効果が得られる。
【００２８】
図９中（ハ）の背負いベルト６３は、本皮又は合成皮革からなる小片３１を折重ね片部２５から背負いベルト６３へかかるようにして重合し、該小片３１の重ね片部２５側と背負いベルト６３側とを太い縫い糸３０によりそれぞれ二個所ずつ縫着した構成からなる。各太い縫い糸３０はそれぞれ独立して縫われる。このようにしても本発明と同じ作用・効果が得られる。
【００２９】
図９中（ニ）の背負いベルト６４は、本皮又は合成皮革からなる小片３１を折重ね片部２５から背負いベルト６４へかかるようにして重合し、該小片３１の重ね片部２５側と背負いベルト６４側とを小さい鋲３２によりそれぞれ二個所ずつ固着した構成からなる。このようにしても本発明と同じ作用・効果が得られる。
【図面の簡単な説明】
【００３０】
【図１】本発明に係るランドセルの斜視図。
【図２】ベルト取付具部位の分解斜視図。
【図３】（イ）はベルト取付具部位の正面図、（ロ）は同作用を示す正面図。
【図４】図３（イ）のＸ−Ｘ線拡大断面図。
【図５】背負いベルトの上端部の分解斜視図。
【図６】（イ）は背負いベルトの上端部の裏面図、（ロ）は同表面図。
【図７】ランドセルの側面図。
【図８】店頭に陳列する状態のランドセルの斜視図。
【図９】（イ）乃至（ニ）は他の実施の形態に係る背負いベルト上端部の裏面図。
【符号の説明】
【００３１】
１            背当て部
５            ベルト取付具
６            背負いベルト
２１          連結環
２５          折重ね片部
２５ａ        折返し部
２５ｂ        端縁部
３０          封止手段（太い縫い糸）
３１          封止手段（小片）
Ｒ            ランドセル
Ｓ            隙間
【図１】
2007319399.tif 000003
【図２】
2007319399.tif 000004
【図３】
2007319399.tif 000005
【図４】
2007319399.tif 000006
【図５】
2007319399.tif 000007
【図６】
2007319399.tif 000008
【図７】
2007319399.tif 000009
【図８】
2007319399.tif 000010
【図９】
2007319399.tif 000011